(57)【特許請求の範囲】
【請求項１】
キャスター付きごみ容器であり、合成樹脂製容器の底壁の中央部に排水孔が設けられ、該底壁の全面にわたって容器内底面が前記排水孔に至るほど低くなるように連続した傾斜底壁となされるとともに、同容器底壁の裏面には複数のリブが設けられ、このうち少なくともキャスター取付け部位に設けられたリブはそれらの先端が同一水平面上に位置するように形成され、それらのリブ先端にキャスター支持板が水平に当接されてキャスターが取付けられたことを特徴とするごみ容器。
【発明の詳細な説明】
【０００１】
【発明の属する技術分野】
本発明は合成樹脂製の大型ごみ容器に関するものである。
【０００２】
【従来の技術】
一般に、企業・飲食店・家庭等からでるごみは大型のごみ容器で収集し、この収集ごみをごみ収集車やごみ貯留機にまで運んで容器内のごみをごみ収集車やごみ貯留機のごみ箱内に投入している。
【０００３】
かかるごみ容器においては、ごみ水分の溜り防止や水洗時の排水上、容器底壁の中央に排水孔を設け、その排水の水捌けをよくするために容器内底面を前記排水孔に向けて下り勾配で傾斜させている。
【０００４】
一方、ごみ収集車やごみ貯留機への移動をスム−ズに行わせるために、容器底壁裏面の四隅にキャスタ−を取付けており、従来においては、図７に示すようにキャスタ−取付け部位の容器底壁部分１１’を水平にせざるを得ず、この水平部１１’の水平裏面にキャスタ−２’を取付けている（斜面にキャスタ−を取付けると、キャスタ−内のベアリングに拗れが生じて、キャスタ−の方向自在性が阻害される）。
【０００５】
【発明が解決しようとする課題】
しかしながら、かかる従来のごみ容器では、ごみ容器が傾いた状態にあるときに、前記の水平底壁部分１１’が水捌けに対し逆勾配になり排水孔への自然流下が妨げられて水捌けよく排水することが難しい。
【０００６】
かかる不具合を解消するために、キャスタ−を取付ける容器底壁部分の上面を水の自然流下に対し順方向の斜面に、裏面を水平面にすることが考えられるが、この場合は部分的な厚肉化が余儀なくされ、容器を合成樹脂の射出成形で製作すると、冷却のアンバランスのために成形収縮が不均一になり易く、成形品表面にひけが生じ、または内部に空洞が発生し、或いは残留歪みが発生する畏れがあり、機械的強度の低下の原因となる。
【０００７】
本発明の目的は、底壁中央部に排水孔を有する大型のキャスタ−付き合成樹脂製ごみ容器において、多少傾いた状態でも満足に排水でき、しかも良好に射出成形できるごみ容器を提供することにある。
【０００８】
【課題を解決するための手段】
本発明に係るごみ容器は、キャスタ−付きごみ容器であり、合成樹脂製容器の底壁の中央部に排水孔を設け、該底壁を容器内底面を前記排水孔に至るほど低くするように連続した傾斜底壁としたことを特徴とする構成であり、同容器底壁の裏面に複数のリブを設け、少なくともキャスタ−取付け部位においてこれらのリブの高さをリブ先端を同一水平面上に位置させるように設定し、それらのリブ先端にキャスタ−支持板を水平に当接してキャスタ−を取付けたること、更に、キャスタ−支持板に対するストッパ−用のリブを付設することができる。
【０００９】
なお、キャスタ−取付台にキャスタ−を固定し、そのキャスタ−取付台を底壁裏面に取付ける場合は、キャスタ−取付台がキャスタ−支持板に該当し、キャスタ−をキャスタ−自体の台座において直接底壁裏面に取付ける場合は、その台座がキャスタ−支持板に該当する。
【００１０】
【発明の実施の形態】
以下、図面を参照しつつ本発明の実施の形態について説明する。
【００１１】
図１の（イ）は本発明に係るごみ容器の一例を示す正面図、図１の（ロ）は同じく側面図である。
【００１２】
図２の（イ）は図１の（イ）におけるイ−イ断面図、図２の（ロ）は図１の（ロ）におけるロ−ロ断面図である。
【００１３】
図３の（イ）は図１の容器の片半部裏面図（裏面図はｎ−ｎ線を基準として左右対称）を、図３の（ロ）は図３の（イ）のロ−ロ断面図を、それぞれキャスタ−を取付けていない状態で示してある。
【００１４】
図１において、１は射出成形により成形した合成樹脂製の容器、２は容器の底壁裏面の四隅に取付けたキャスタ−、３は容器の一側面に取付けた引っ掛け用のバ−である。
【００１５】
図２及び図３において、１１は容器底壁、１２は底壁のほぼ中央に設けた排水孔であり、容器内底面１１０を排水孔１２に至るほど低くするように傾斜底壁としてある。１３１、１３２，１３３，１３４等は底壁１１の裏面に設けた板状リブであり、少なくとも後述のキャスタ−を取付ける部分のリブ１３１は、図３の（ロ）に示すようにリブ先端を同一水平面上に位置させるようなリブ高さに設定してある。図示の例では、後述のキャスタ−取付台を水平に取付け得るように、図３の（イ）において太線で示したリブ１３１の先端を同一水平面上に位置させてある。１３２，１３２は太線で示したリブ１３１、すなわちキャスタ−支承用リブを挾むキャスタ−ストッパ−用のリブであり、図３の（ロ）に示すようにキャスタ−支承用リブ１３１よりもリブ高さを高くしてある。１３３は底壁裏面の外郭に沿い設けたリブ、１３４は外郭リブ１３３とストッパ−用リブ１３２との間を連結するように設けたリブである。図示の例では、外郭リブ１３３及び連結リブ１３４の先端位置とストッパ−用リブ１３２の先端位置とを一致させてあるが、何れか一方を他方に対し高くすることもできる。
【００１６】
図３の（イ）において、１３５，１３５’は図１にも現わされている容器側壁のほぼ直角段付けの広巾引っ込み段面を、１３６，…は同じく波形状の引っ込み段面をそれぞれ示し、成形収縮時の変形を逃すと共に補強のために設けてある。これらを省略してフラット面とすることもできる。
【００１７】
図４は本発明に係るごみ容器に取付けるキャスタ−の一例を示し、キャスタ−取付台４０にキャスタ−４をキャスタ−座台４１においてボルト・ナットまたはリベット或いは溶接によって固定し、キャスタ−取付台４０を図５に示すように、上記キャスタ−支承用リブ１３１，１３１に水平に当接すると共にキャスタ−取付台４０の巾両端をストッパ−用リブ１３２，１３２間に嵌合し、キャスタ−取付台４０の巾両端折曲げ部をストッパ−用リブ１３２にボルト・ナット等で固定してある。
【００１８】
この場合、ナットを予め溶接したキャスタ−取付台をキャスタ−支承用リブに水平に当接すると共にキャスタ−取付台の巾両端をストッパ−用リブ間に嵌合し、キャスタ−取付台の巾両端折曲げ部をストッパ−用リブにボルト・ナット等で固定しておき、別の場所で容器を裏返し、キャスタ−をキャスタ−座台においてボルトと前記溶接したナットとでキャスタ−支持板に固定することも可能である。
【００１９】
上記において、容器の射出成形時に容器の底壁裏面にナットを埋着しておき、図６の（イ）（側面図）及び図６の（ロ）（平面図）に示すキャスタ−４のキャスタ−座台４１をキャスタ−支承用リブ１３１，１３１に水平に当接すると共にキャスタ−座台４１の対向する外郭二辺をストッパ−用リブ１３２，１３２間に嵌合し、キャスタ−座台４１をボルトと前記埋着したナットとで底壁裏面に固定することもできる。この場合、図３の（イ）の太線で示したリブに代えキャスタ−座台が当接される部分のリブのみについて先端を同一水平面上に位置させるようにリブ高さを設定することもできる。
【００２０】
本発明に係る合成樹脂製のごみ容器は射出成形によって成形でき、合成樹脂には、ポリプロピレン、ポリ塩化ビニル、ポリスチレン、ポリエチレン、ポリカ−ボネ−ト、アクリル樹脂、ポリエチレンテレフタレ−ト、ポリアミド、ＡＳ樹脂、ＡＢＳ樹脂、またはこれらのガラス繊維強化樹脂を使用できる。ごみ容器の射出成形には多点ゲ−ト方式を使用することが望ましい。
【００２１】
本発明に係るごみ容器を用いてごみを処理するには、企業・飲食店・家庭等からでるごみを当該ごみ容器で収集し、このごみ収集容器をごみ収集車やごみ貯留機にまで運んでごみ収集車等のア−ムを当該ごみ容器の引っ掛けバ−に掛けそのごみ容器を回動させて容器内のごみをごみ収集車やごみ貯留機のごみ投入箱内に移し、水洗のうえ元の場所に返すようにする。
【００２２】
本発明に係るごみ容器においては、容器内底面を中央の排水孔に向け順勾配の斜面としてあり、その斜面の傾斜角の範囲内でこみ容器を逆勾配方向に傾かせても、容器内底面を逆勾配にすることなく水捌け可能な状態に保ち得るから、上記ごみ処理過程でごみ水分が滞留するのをよく排除でき、ごみの腐敗や虫の発生を防止できる。また、ごみ容器内の水洗を良好な水捌けで行うことができ、優れた清掃性を保証できる。
【００２３】
前記容器内底壁の傾斜角（図２におけるθ、θ’）は、容器寸法に応じて適宜設定するが、通常１°〜６０°とされる（１°未満では上記容器傾き時の水捌け性を保証し難く、６０°を越えると排水口の位置が路面に接近しすぎ、ごみ容器の移動上支障となる）。
【００２４】
本発明に係るごみ容器においては、底壁裏面のキャスタ−取付け部位のリブの先端を同一水平面上に位置させてあるから、通常のキャスタ−でもキャスタ−の回転軸心を水平面に対し垂直に向け得、キャスタ−の方向自在性を保証でき（キャスタ−の回転軸心が水平面に対し垂直からΔθずれると、キャスタ−を所望の方向に回転させようとするモ−メントＭに対し、Ｍ・sinΔθがキャスタ−内のベアリングを拗るように作用し、キャスタ−の方向自在性が阻害される）、キャスタ−に汎用品を用いることができる。
【００２５】
本発明に係るごみ容器においては、キャスタ−を垂直な向きで取付けるために底壁裏面の所定のリブの先端を水平出ししており、底壁の厚みを一様にできるから、成形時の冷却を一様に行わせ得、成形品表面でのひけ、内部の空洞、或いは残留歪み等の発生なく良好に射出成形でき、機械的強度もよく保証できる。
【００２６】
【発明の効果】
本発明に係るごみ容器では、底壁の厚みを一様にして底壁中央に至るに従い連続して底面を低くし、かつ底壁裏面にキャスタ−を水平面に対し垂直に取付け得る構成であり、ごみ容器が多少傾いた状態に置かれても、良好な水捌け性を確保でき、キャスタ−の方向自在性を保証でき、しかも成形時の一様冷却により良好な品質を保証できる。
【００２７】
特に、キャスタ−に対するストッパ−用のリブを付設るものでは、そのリブの高さを少なくともキャスタ−支持板の厚みだけ高くするという極めて簡易な構成でキャスタ−の取付け状態の一層の安定化を図ることができる利点がある。
【図面の簡単な説明】
【図１】図１の（イ）は本発明に係るごみ容器の一例を示す正面図、図１の（ロ）は同じく側面図である。
【図２】図２の（イ）は図１の（イ）のイ−イ断面図、図２の（ロ）は図１の（ロ）のロ−ロ断面図である。
【図３】図３の（イ）は本発明に係るごみ容器の片半部の底面図、図３の（ロ）は図３の（イ）のロ−ロ断面図である。
【図４】本発明に係るごみ容器に取付けるキャスタ−の一例を示す図面である。
【図５】本発明に係るごみ容器のキャスタ−取付け状態を示す図面である。
【図６】本発明に係るごみ容器に取付けるキャスタ−の別例を示す図面である。
【図７】従来のごみ容器を示す断面図である。
【符号の説明】
１              容器
１１            底壁
１２            排水孔
１３１          キャスタ−支承用リブ
１３２          ストッパ−用のリブ
２              キャスタ−
【図１】
0004278225.tif 000002
【図２】
0004278225.tif 000003
【図３】
0004278225.tif 000004
【図４】
0004278225.tif 000005
【図５】
0004278225.tif 000006
【図６】
0004278225.tif 000007
【図７】
0004278225.tif 000008